(57)【要約】【課題】貯湯タンクへの水の加熱能力を確実に確保する。【解決手段】室外ファン制御部４１０Ｄは、室内ファン６６における室内ファン回転数Ｎ１の低下に応じて、室外ファン６７における室外ファン回転数Ｎ２を増大させる。これにより、運転開始後の時間経過により室内ファン回転数Ｎ１が小さくなり前記室内熱交換器２７での吸熱量が小さくなってしまったとしても、これに応じて室外ファン回転数Ｎ２が大回転数側に補正されることで、室外熱交換器１７における吸熱量を増大させることができる。【選択図】図１０
2018063091.tif 000002
【特許請求の範囲】
【請求項１】
冷媒と室内空気との熱交換を行う、蒸発器としての室内熱交換器と、
湯水を貯湯する貯湯タンクと、
冷媒通路と水通路とを備え、前記冷媒通路内の前記冷媒と前記水通路内の水との熱交換を行う、凝縮器としての水冷媒熱交換器と、
前記冷媒と外気との熱交換を行う、蒸発器としてのヒートポンプ熱交換器と、
圧縮機と
を有し、
前記水冷媒熱交換器の前記水通路と前記貯湯タンクとを湯水配管によって環状に接続して湯水循環回路を形成し、前記室内熱交換器、前記水冷媒熱交換器の前記冷媒通路、前記ヒートポンプ熱交換器、及び、前記圧縮機を冷媒配管で接続して冷媒循環回路を形成して、前記室内熱交換器により室内空気を冷却しかつ前記水冷媒熱交換器により前記貯湯タンクへの水を加熱する沸上・冷房運転を実行可能な冷房機能付きヒートポンプ給湯機において、
前記冷媒配管は、
前記圧縮機の吐出側を前記水冷媒熱交換器の前記冷媒通路の入口側に対し接続し、さらに前記水冷媒熱交換器の前記冷媒通路の出口側を前記室内熱交換器の入口側に対し接続し、さらに前記室内熱交換器の出口側を前記ヒートポンプ熱交換器の入口側に対し接続し、さらに前記ヒートポンプ熱交換器の出口側を前記圧縮機の吸入側に対し接続しており、
かつ、
前記室内熱交換器における冷房負荷を検出する負荷検出手段と、
前記負荷検出手段により検出される前記冷房負荷が減少したことを契機に、前記ヒートポンプ熱交換器における吸熱量を増大させる吸熱制御手段と
を設けたことを特徴とする冷房機能付きヒートポンプ給湯機。
【請求項２】
前記冷媒配管は、
前記圧縮機の吐出側と前記水冷媒熱交換器の前記冷媒通路の入口側との間を接続する第１配管と、
前記水冷媒熱交換器の前記冷媒通路の出口側と前記室内熱交換器の入口側との間を接続する第２配管と、
前記室内熱交換器の出口側と前記ヒートポンプ熱交換器の入口側との間を接続する第３配管と、
前記ヒートポンプ熱交換器の出口側と前記圧縮機の吸入側との間を接続する第４配管とを含み、
前記第２配管には、弁開度が運転状態に応じて可変に制御される減圧器が設けられる
ことを特徴とする請求項１記載の冷房機能付きヒートポンプ給湯機。
【請求項３】
前記ヒートポンプ熱交換器に外気を送り込む送風ファンをさらに有し、
前記吸熱制御手段は、
前記負荷検出手段により検出される前記冷房負荷が減少したことを契機に前記送風ファンの回転数を増大させる回転制御手段である
ことを特徴とする請求項１または請求項２記載の冷房機能付きヒートポンプ給湯機。
【請求項４】
少なくとも室内温度に基づき回転が制御され、前記室内熱交換器からの冷気を室内へ吹き出す冷却ファンをさらに有し、
前記負荷検出手段は、
前記冷却ファンの回転数を検出する回転検出手段であり、
前記吸熱制御手段は、
前記回転検出手段により検出される前記冷却ファンの回転数が減少したことを契機に、前記ヒートポンプ熱交換器における吸熱量を増大させる
ことを特徴とする請求項１乃至請求項３の何れか１項に記載の冷房機能付きヒートポンプ給湯機。
【請求項５】
前記室内温度を検出する検出手段をさらに有し、
前記負荷検出手段は、
前記検出手段により検出された室内温度検出値とユーザの設定による室内温度設定値との温度差を算出する算出手段であり、
前記吸熱制御手段は、
前記算出手段により算出される前記温度差が減少したことを契機に、前記ヒートポンプ熱交換器における吸熱量を増大させる
ことを特徴とする請求項１乃至請求項３の何れか１項に記載の冷房機能付きヒートポンプ給湯機。
【発明の詳細な説明】
【技術分野】
【０００１】
この発明は、室内空気の冷却及び貯湯タンク内の湯水の加熱を並行して行う沸上・冷房運転を実行可能な、冷房機能付きヒートポンプ給湯機に関するものである。
【背景技術】
【０００２】
従来よりこの種の給湯機においては、特許文献１記載のように、沸上・冷房運転の際、圧縮機の吐出側に凝縮器としての水冷媒熱交換器が接続され、その下流側に凝縮器としての室内熱交換器が接続され、さらにその下流側に蒸発器としてのヒートポンプ熱交換器（室外熱交換器）が接続されるものがあった。
【先行技術文献】
【特許文献】
【０００３】
【特許文献１】特許４６１０６８８号公報
【発明の概要】
【発明が解決しようとする課題】
【０００４】
沸上・冷房運転の際は、一般に、運転開始直後は冷房負荷が大きいことから室内熱交換器における吸熱量が多くなるものの、その後時間が経過するにつれて冷房負荷が小さくなることから室内熱交換器での吸熱量が小さくなる。前記の従来技術においては、このような場合、上流側に位置している水冷媒熱交換器での放熱量も小さくなるため、貯湯タンクへの水の加熱能力を確実に確保する観点からは、十分なものとは言えないという問題があった。
【課題を解決するための手段】
【０００５】
上記課題を解決するために、本発明の請求項１では、冷媒と室内空気との熱交換を行う、蒸発器としての室内熱交換器と、湯水を貯湯する貯湯タンクと、冷媒通路と水通路とを備え、前記冷媒通路内の前記冷媒と前記水通路内の水との熱交換を行う、凝縮器としての水冷媒熱交換器と、前記冷媒と外気との熱交換を行う、蒸発器としてのヒートポンプ熱交換器と、圧縮機とを有し、前記水冷媒熱交換器の前記水通路と前記貯湯タンクとを湯水配管によって環状に接続して湯水循環回路を形成し、前記室内熱交換器、前記水冷媒熱交換器の前記冷媒通路、前記ヒートポンプ熱交換器、及び、前記圧縮機を冷媒配管で接続して冷媒循環回路を形成して、前記室内熱交換器により室内空気を冷却しかつ前記水冷媒熱交換器により前記貯湯タンクへの水を加熱する沸上・冷房運転を実行可能な冷房機能付きヒートポンプ給湯機において、前記冷媒配管は、前記圧縮機の吐出側を前記水冷媒熱交換器の前記冷媒通路の入口側に対し接続し、さらに前記水冷媒熱交換器の前記冷媒通路の出口側を前記室内熱交換器の入口側に対し接続し、さらに前記室内熱交換器の出口側を前記ヒートポンプ熱交換器の入口側に対し接続し、さらに前記ヒートポンプ熱交換器の出口側を前記圧縮機の吸入側に対し接続しており、かつ、前記室内熱交換器における冷房負荷を検出する負荷検出手段と、前記負荷検出手段により検出される前記冷房負荷が減少したことを契機に、前記ヒートポンプ熱交換器における吸熱量を増大させる吸熱制御手段とを設けたものである。
【０００６】
また、請求項２では、前記冷媒配管は、前記圧縮機の吐出側と前記水冷媒熱交換器の前記冷媒通路の入口側との間を接続する第１配管と、前記水冷媒熱交換器の前記冷媒通路の出口側と前記室内熱交換器の入口側との間を接続する第２配管と、前記室内熱交換器の出口側と前記ヒートポンプ熱交換器の入口側との間を接続する第３配管と、前記ヒートポンプ熱交換器の出口側と前記圧縮機の吸入側との間を接続する第４配管とを含み、前記第２配管には、弁開度が運転状態に応じて可変に制御される減圧器が設けられるものである。
【０００７】
また、請求項３では、前記ヒートポンプ熱交換器に外気を送り込む送風ファンをさらに有し、前記吸熱制御手段は、前記負荷検出手段により検出される前記冷房負荷が減少したことを契機に前記送風ファンの回転数を増大させる回転制御手段であるものである。
【０００８】
また、請求項４では、少なくとも室内温度に基づき回転が制御され、前記室内熱交換器からの冷気を室内へ吹き出す冷却ファンをさらに有し、前記負荷検出手段は、前記冷却ファンの回転数を検出する回転検出手段であり、前記吸熱制御手段は、前記回転検出手段により検出される前記冷却ファンの回転数が減少したことを契機に、前記ヒートポンプ熱交換器における吸熱量を増大させるものである。
【０００９】
また、請求項５では、前記室内温度を検出する検出手段をさらに有し、前記負荷検出手段は、前記検出手段により検出された室内温度検出値とユーザの設定による室内温度設定値との温度差を算出する算出手段であり、前記吸熱制御手段は、前記算出手段により算出される前記温度差が減少したことを契機に、前記ヒートポンプ熱交換器における吸熱量を増大させるものである。
【発明の効果】
【００１０】
この発明の請求項１によれば、冷媒配管により、前記圧縮機の吐出側が前記水冷媒熱交換器の冷媒通路に接続され、さらにその水冷媒熱交換器の冷媒通路が前記室内熱交換器に接続され、さらにその室内熱交換器が前記ヒートポンプ熱交換器に接続され、さらにそのヒートポンプ熱交換器が前記圧縮機の吸入側に接続される。これにより、圧縮機から吐出された高温高圧の冷媒ガスが水冷媒熱交換器において貯湯タンクへ通じる湯水配管へ放熱し凝縮して液体冷媒となり、その後室内熱交換器で蒸発することで室内空気から吸熱した後、さらにヒートポンプ熱交換器で蒸発することで外気からも吸熱して圧縮機へと戻る。これにより、室内空気を冷却すると共に貯湯タンクへの水を加熱する、沸上・冷房運転が実現される。
【００１１】
そして、この沸上・冷房運転においては、前記のように、前記室内熱交換器（蒸発器として機能）での吸熱と、前記ヒートポンプ熱交換器（蒸発器として機能）での吸熱と、を合計したものが、前記水冷媒熱交換器（凝縮器として機能）での湯水の加熱に用いられる。このとき、通常、運転開始直後は冷房負荷が大きいことから室内熱交換器における吸熱量が多くなるものの、その後時間が経過するにつれて冷房負荷が小さくなることから室内熱交換器での吸熱量が小さくなる。
【００１２】
これに対応して、請求項１によれば、負荷検出手段と吸熱制御手段とが設けられる。吸熱制御手段は、負荷検出手段が検出する冷房負荷が前記のようにして減少すると、これに対応して前記ヒートポンプ熱交換器における吸熱量を増大させる。これにより、前記のようにして室内熱交換器で吸熱量が小さくなった分を補うことができるので、室内熱交換器での吸熱量とヒートポンプ熱交換器での吸熱量との合計が、小さくならないように維持することができる。この結果、前記水冷媒熱交換器における放熱量を低下させることなく維持し、貯湯タンクへの水の加熱能力を確実に確保することができる。
【００１３】
また、請求項２によれば、沸上・冷房運転時において、圧縮機吐出側→第１配管→水冷媒熱交換器→第２配管→室内熱交換器→第３配管→ヒートポンプ熱交換器→第４配管→圧縮機吸入側という冷媒経路が形成される。そして、前記第２配管に設けられた減圧器の弁開度が可変制御される。この場合、前記の冷媒経路において、水冷媒熱交換器で熱交換後の冷媒を第２配管の減圧器において確実に低温低圧状態に膨張させ、室内熱交換器に供給することができる。これにより、貯湯タンクへの水の加熱（排熱）を利用した高効率な運転を行うことができる。）
【００１４】
また、請求項３によれば、冷房負荷の減少が検出されると、回転制御手段が、ヒートポンプ熱交換器に外気を送り込む送風ファンの回転数を増大させる。これにより、冷媒と室内空気との熱交換量が増えるので、ヒートポンプ熱交換器における吸熱量を確実に増大させることができる。
【００１５】
また、請求項４によれば、室内熱交換器に設けられる冷却ファンの回転数が、室内温度に基づき制御される。したがって、例えば冷房負荷が大きい場合には冷却ファンの回転数が高くなり冷房負荷が小さい場合には冷却ファンの回転数が低くなる。これに対応して、請求項４によれば、前記負荷検出手段として、前記冷却ファンの回転数を検出する回転検出手段が設けられる。そして、この回転検出手段が検出する冷却ファンの回転数が減少すると、（冷房負荷が小さくなっていることから）吸熱制御手段の制御により、前記ヒートポンプ熱交換器における吸熱量が増大する。この結果、室内熱交換器での吸熱量とヒートポンプ熱交換器での吸熱量との合計を確実に維持することができる。
【００１６】
また、請求項５によれば、実際の室内温度が検出手段によって検出される。例えばリモコンなどによりユーザが設定する室内温度設定値と前記検出手段による室内温度検出値との差が大きい場合は冷房負荷が大きく、逆にそれらの差が小さい場合は冷房負荷が小さくなる。これに対応して、請求項５によれば、前記負荷検出手段として、前記室内温度検出値と前記室内温度設定値との温度差を算出する算出手段が設けられる。そして、この算出手段が算出する温度差が減少すると、（冷房負荷が小さくなっていることから）吸熱制御手段の制御により、前記ヒートポンプ熱交換器における吸熱量が増大する。この結果、室内熱交換器での吸熱量とヒートポンプ熱交換器での吸熱量との合計を確実に維持することができる。
【図面の簡単な説明】
【００１７】
【図１】本発明の一実施形態の冷房機能付きヒートポンプ給湯機の主要なユニットの外観構成図
【図２】ヒートポンプ給湯機全体の回路構成図
【図３】ヒーポン制御部の機能的構成図
【図４】貯湯制御部の機能的構成図
【図５】エアコン制御部の機能的構成図
【図６】沸上運転時の作動を説明する図
【図７】暖房運転時の作動を説明する図
【図８】沸上・暖房運転時の作動を説明する図
【図９】冷房運転時の作動を説明する図
【図１０】沸上・冷房運転時の作動を説明する図
【図１１】室外ファン制御部における室外ファン回転数の制御内容を説明する図
【図１２】室内温度とエアコン設定温度とに基づき室外ファン制御部が室外ファン回転数を制御する変形例での、沸上・冷房運転時の作動を説明する図
【図１３】ヒーポン制御部の機能的構成図
【図１４】エアコン制御部の機能的構成図
【図１５】室外ファン制御部における室外ファン回転数の制御内容を説明する図
【発明を実施するための形態】
【００１８】
以下、本発明の一実施形態を図１〜図１１に基づいて説明する。
【００１９】
本実施形態の冷房機能付き（但し暖房機能も付属している）ヒートポンプ給湯機１の主要なユニットの外観構成を図１に示す。図１において、本実施形態のヒートポンプ給湯機１は、貯湯タンク２（後述の図２等参照）を備えた貯湯ユニット１００と、室外機としてのヒートポンプユニット３００と、室内機としてのエアコンユニット２００とを有している。
【００２０】
本実施形態のヒートポンプ給湯機１全体の回路構成を図２に示す。図２に示すように、前記貯湯ユニット１００は、冷媒を流通させる冷媒側の流路１５ｂと水側の流路１５ａとを有し、高温高圧の冷媒と貯湯タンク２内の湯水とを熱交換する凝縮器として機能する水冷媒熱交換器１５と、沸上ポンプ１９と、を備えている。すなわち、前記水冷媒熱交換器１５の前記水側の流路１５ａと前記貯湯タンク２とが湯水配管としての加熱往き管５及び加熱戻り管６によって環状に接続され、前記貯湯ユニット１００内で湯水循環回路としての加熱循環回路４が形成されている。
【００２１】
加熱往き管５は、前記貯湯タンク２の下部に接続され、加熱戻り管６は、前記貯湯タンク２の上部に接続されている。前記沸上ポンプ１９は、前記加熱往き管５の途中に設けられ、前記水側の流路１５ａを介し前記加熱往き管５からの湯水を前記加熱戻り管６へ流通させつつ、貯湯タンク２の湯水を循環させる。なお、前記加熱往き管５には、前記水冷媒熱交換器１５の前記水側の流路１５ａに流入する入水温度Ｔ１（湯水の入口温度）を検出する入水温度センサ２３が設けられ、前記加熱戻り管６には、前記水側の流路１５ａから前記貯湯タンク２に向かって流出する沸上温度Ｔｂを検出する沸上温度センサ２４が設けられている。
【００２２】
貯湯タンク２の側面には、貯湯タンク２内の湯水の温度（貯湯温度）をそれぞれ検出し前記湯水の加熱状況（言い替えれば貯湯状況）を検知するための貯湯温度センサ１２が上下にわたり複数設けられている。前記貯湯タンク２の下部にはまた、貯湯タンク２に水を給水する給水管７が接続され、前記貯湯タンク２の上部にはまた、貯湯されている高温水を出湯する出湯管８が接続され、給水管７からは給水バイパス管９が分岐して設けられている。さらに、出湯管８からの湯と給水バイパス管９からの水とを混合して給湯設定温度の湯とする混合弁１０と、混合弁１０で混合後の給湯温度を検出する給湯温度センサ１１と、が設けられている。
【００２３】
一方、前記水冷媒熱交換器１５における熱交換（詳細は後述）によって前記貯湯タンク２内の湯水を加熱可能な冷媒循環回路３０が、前記ヒートポンプユニット３００、前記貯湯ユニット１００、及び前記エアコンユニット２００にわたって設けられている。前記冷媒循環回路３０は、前記ヒートポンプユニット３００内に配置されたヒーポン回路部３０Ａと、前記貯湯ユニット１００内に配置された貯湯回路部３０Ｂと、前記エアコンユニット２００内に配置されたエアコン回路部３０Ｃとを含んでいる。
【００２４】
前記ヒーポン回路部３０Ａは、前記冷媒の流路となる冷媒配管１８を備えており、冷媒を圧縮する圧縮機１４と、四方弁３１と、前記冷媒と外気との熱交換により凝縮器又は蒸発器として選択的に機能（詳細は後述）するヒートポンプ熱交換器としての室外熱交換器１７とが、前記冷媒配管１８によって接続されている。なお、室外熱交換器１７には、前記室外熱交換器１７に外気を通じるための送風ファンとしての室外ファン６７が設けられている。
【００２５】
詳細には、前記冷媒配管１８は、圧縮機１４の吐出側となる配管部１８ａと、沸上運転時（後述の図６参照）等において前記四方弁３１を介し前記配管部１８ａに接続される配管部１８ｂとを含んでいる。前記配管部１８ｂは、ヒートポンプユニット３００外への出口となる接続口６８ａにおいて、前記ヒートポンプユニット３００と前記貯湯ユニット１００とを接続する連通管路１０１に連通している。
【００２６】
また前記冷媒配管１８は、前記圧縮機１４の吸入側となる配管部１８ｃと、沸上運転時（後述の図６参照）等において前記室外熱交換器１７の圧縮機１４側（言い替えれば前記沸上運転時等における出口側、以下同様。後述の図６等参照）を前記四方弁３１を介し前記配管部１８ｃに接続する配管部１８ｄと、前記室外熱交換器１７の反圧縮機１４側（言い替えれば前記沸上運転時等における入口側、以下同様。後述の図６等参照）に接続される配管部１８ｅとを含んでいる。前記配管部１８ｅは膨張弁１１３を備えており、前記接続口６８ａとは別の接続口６８ｂにおいて、前記ヒートポンプユニット３００と前記貯湯ユニット１００とを接続する連通管路１０２に連通している。
【００２７】
前記四方弁３１は４つのポートを備える弁であり、前記冷媒配管１８のうち（冷媒主経路を構成する）前記配管部１８ｂ，１８ｄ用の２つのポートのそれぞれに対して、残りの前記配管部１８ａ，１８ｃ用の２つのポートのいずれを接続するかを切り替える。前記配管部１８ａ，１８ｃ用の２つのポートどうしは、ループ状に配置された前記配管部１８ａ，１８ｃからなる冷媒副経路によって接続されており、この冷媒副経路上に前記圧縮機１４が設けられている。例えば四方弁３１は、後述する図６の状態に切り替えられた場合（以下適宜、「暖房側への切替」等と称する）は、前記圧縮機１４の吐出側である前記配管部１８ａを前記水冷媒熱交換器１５の入口側である前記配管部１８ｂに連通させ、後述する図９の状態に切り替えられた場合（以下適宜、「冷房側への切替」等と称する）は、前記配管部１８ａを前記室外熱交換器１７側である前記配管部１８ｄに連通させる。
【００２８】
なお、前記の圧縮機１４、四方弁３１、室外熱交換器１７、室外ファン６７、及び膨張弁１１３等は、前記ヒートポンプユニット３００の筐体に内包されている（図１参照）。
【００２９】
前記貯湯回路部３０Ｂは、前記冷媒の流路となる冷媒配管２５を備えており、前記水冷媒熱交換器１５の前記冷媒側の流路１５ｂが、前記冷媒配管２５に接続されている。
【００３０】
詳細には、前記冷媒配管２５は、貯湯ユニット１００外への出口となる接続口７５ａにおいて前記連通管路１０１に連通する配管部２５ａと、前記配管部２５ａから分岐して接続されるとともに、反配管部２５ａ側が前記水冷媒熱交換器１５（詳細には前記冷媒側の流路１５ｂ）の入口側に接続される配管部２５ｂと、前記水冷媒熱交換器１５（詳細には前記冷媒側の流路１５ｂ）の出口側に接続される配管部２５ｃとを含んでいる。前記配管部２５ｂは、前記四方弁３１と前記水冷媒熱交換器１５の入口側である前記配管部２５ｂを開閉可能な二方弁１２１を備えており、前記配管部２５ｃは全閉機能付きの膨張弁１１１を備えている。
【００３１】
また前記冷媒配管２５は、前記配管部２５ｂ同様、前記配管部２５ａから分岐して接続される配管部２５ｄを含んでいる。前記配管部２５ｄの反配管部２５ａ側は、貯湯ユニット１００外への出口となる接続口９５ａにおいて、前記貯湯ユニット１００と前記エアコンユニット２００とを接続する連通管路１０４に連通している。
【００３２】
さらに前記冷媒配管２５は、前記配管部２５ｃの反水冷媒熱交換器１５側から分岐して接続されるとともに、反配管部２５ｃ側が、前記接続口７５ａとは別の接続口７５ｂにおいて前記連通管路１０２に連通する配管部２５ｅと、前記配管部２５ｄと前記配管部２５ｅとを連通する配管部２５ｆと、前記配管部２５ｅ同様に前記配管部２５ｃの反水冷媒熱交換器１５側から分岐して接続されるとともに、貯湯ユニット１００外への出口となる接続口９５ｂにおいて、前記貯湯ユニット１００と前記エアコンユニット２００とを接続する連通管路１０３に連通する配管部２５ｇとを含んでいる。前記配管部２５ｄは、前記配管部２５ａとの接続点と前記配管部２５ｆとの接続点の間に配管部２５ｄを開閉可能な二方弁１２２を備えており、前記配管部２５ｅは、前記配管部２５ｇとの接続点と前記配管部２５ｆとの接続点の間に配管部２５ｅを開閉可能な二方弁１２３を備えており、前記配管部２５ｆは、配管部２５ｆを開閉可能な二方弁１２４を備えており、前記配管部２５ｇは減圧器としての全閉機能付きの膨張弁１１２を備えている。この結果、前記二方弁１２３は、前記膨張弁１１３と前記膨張弁１１２との間の管路を開閉する機能を備え、前記膨張弁１１１は、前記水冷媒熱交換器１５の出口側と前記膨張弁１１２との間の管路を開閉する機能を備える。また、前記連通管路１０１は、前記二方弁１２１，１２２と前記四方弁３１とを連通する機能を備え、前記連通管路１０２は、前記二方弁１２３，１２４と前記膨張弁１１３とを連通する機能を備える。言い換えれば、貯湯ユニット１００とヒートポンプユニット３００とは、前記連通管路１０１，１０２によって接続されている（図１も参照）。
【００３３】
なお、前記の二方弁１２１，１２２，１２３，１２４、膨張弁１１１，１１２、水冷媒熱交換器１５、及び貯湯タンク２等は、前記貯湯ユニット１００の筐体に内包されている（図１参照）。なお、前記膨張弁１１２は後述の配管部２６ｂ（すなわち前記エアコンユニット２００の筐体内）に設けても良い。
【００３４】
前記エアコン回路部３０Ｃは、前記冷媒の流路となる冷媒配管２６を備えており、前記冷媒と室内空気との熱交換により凝縮器又は蒸発器として選択的に機能（詳細は後述）する室内熱交換器２７が前記冷媒配管２６に接続されている。なお、室内熱交換器２７には、前記室内熱交換器２７に室内空気を通じるための室内ファン７７（冷房運転時及び沸上・冷房運転時において冷却ファンとして機能）が設けられている。
【００３５】
詳細には、前記冷媒配管２６は、エアコンユニット２００外への出口となる接続口７６ａにおいて前記連通管路１０４に連通するとともに、反連通管路１０４側が前記室内熱交換器２７の前記接続口７６ａ側（言い替えれば暖房運転時等における入口側、以下同様。後述の図７等参照）に接続される配管部２６ａと、前記接続口７６ａとは別の接続口７６ｂにおいて前記連通管路１０３に連通するとともに、反連通管路１０３側が前記室内熱交換器２７の前記接続口７６ｂ側（言い替えれば暖房運転時等における出口側、以下同様。後述の図７等参照）に接続される配管部２６ｂとを含んでいる。この結果、前記二方弁１２２は、前記室内熱交換器２７の反膨張弁１１２側である前記配管部２６ａと圧縮機１４との間の管路を開閉する機能を備え、前記二方弁１２４は、前記室内熱交換器２７の反膨張弁１１２側である前記配管部２６ａと前記膨張弁１１３との間の管路を開閉する機能を備える。また、前記連通管路１０３は、前記膨張弁１１２と前記室内熱交換器２７の前記膨張弁１１２側とを連通する機能を備え、前記連通管路１０４は、前記二方弁１２２，１２４と前記室内熱交換器２７の反膨張弁１１２側とを連通する機能を備える。言い換えれば、貯湯ユニット１００とエアコンユニット２００とは、前記連通管路１０３，１０４によって接続されている（図１も参照）。
【００３６】
なお、前記の室内熱交換器２７及び室内ファン７７等は、前記エアコンユニット２００の筐体に内包されている（図１参照）。
【００３７】
前記冷媒循環回路３０内には、冷媒として例えばＲ３２冷媒が用いられ、ヒートポンプサイクルを構成している。なお、冷媒はＨＦＣ冷媒やＨＦＯ冷媒、二酸化炭素冷媒であってもよい。そして、前記ヒーポン回路部３０Ａの前記冷媒配管１８において、前記配管部１８ａには、圧縮機１４から吐出される冷媒吐出温度Ｔｏｕｔを検出する吐出温度センサ２０が設けられ、前記配管部１８ｃには、圧縮機１４へ吸入される冷媒の冷媒吸入温度Ｔｉｎを検出する吸入温度センサ３２が設けられている。なお、前記室外熱交換器１７の空気入口側には、外気温度Ｔａｉｒを検出する外気温度センサ２２が設けられ、かつ室外熱交換器１７内には、ヒーポン熱交温度Ｔｅｘ（蒸発器として作用している時の蒸発冷媒温度）を検出する熱交温度センサ３５が設けられている。これらのセンサ２０，３２，２２，３５の検出結果は、ヒートポンプユニット３００に設けられたヒーポン制御部４１０に入力され、さらに適宜、貯湯ユニット１００に設けられた貯湯制御部４２０やエアコンユニット２００に設けられたエアコン制御部４３０へも入力される（ヒーポン制御部４１０を介し受信しても良いし、センサ２０，３２，２２から直接受信してもよい）。
【００３８】
また、前記貯湯回路部３０Ｂの前記冷媒配管２５において、前記配管部２５ｃには、前記冷媒側の流路１５ｂから流出し前記膨張弁１１１に向かう冷媒流出温度Ｔ２を検出する流出温度センサ２１が設けられている。なお、前記水冷媒熱交換器１５には、前記冷媒が前記冷媒側の流路１５ｂにおいて凝縮する際の冷媒凝縮温度を検出する凝縮温度センサ３３が設けられている。これらのセンサ２１，３３の検出結果は、貯湯ユニット１００に設けられた貯湯制御部４２０に入力され、さらに適宜、ヒートポンプユニット３００に設けられた前記ヒーポン制御部４１０やエアコンユニット２００に設けられた前記エアコン制御部４３０へも入力される（貯湯制御部４２０を介し受信しても良いし、センサ２１，３３から直接受信してもよい）。
【００３９】
また、前記エアコン回路部３０Ｃの前記冷媒配管２６に関して、前記室内熱交換器２７には、空調対象空間の室内温度Ｔｒを検出する検出手段としての室内温度センサ３４が設けられている。これらのセンサ３４の検出結果は、エアコンユニット２００に設けられたエアコン制御部４３０に入力され、さらに適宜、ヒートポンプユニット３００に設けられた前記ヒーポン制御部４１０や貯湯ユニット１００に設けられた前記貯湯制御部４２０へも入力される（エアコン制御部４３０を介し受信しても良いし、センサ３４から直接受信してもよい）。
【００４０】
そして、前記貯湯ユニット１００の前記貯湯制御部４２０、前記ヒートポンプユニット３００の前記ヒーポン制御部４１０、及び、前記エアコンユニット２００の前記エアコン制御部４３０は、互いに通信可能に接続されており、前記各センサの検出結果に基づき、相互に連携しつつ、前記貯湯ユニット１００、前記ヒートポンプユニット３００、前記エアコンユニット２００内の各機器・アクチュエータの動作を制御する。特に、前記二方弁１２１，１２２，１２３，１２４及び前記膨張弁１１１，１１２，１１３の開閉動作や開度を制御し、冷媒の流れる経路を切り替えることにより、貯湯タンク２内の湯水を加熱して（加熱された湯水の供給）沸上を行う沸上運転、前記空調対象空間の室内冷房を行う冷房運転、前記空調対象空間の室内暖房を行う暖房運転、前記沸上と前記冷房とを並行して行う沸上・冷房運転、及び、前記沸上と前記暖房とを並行して行う沸上・暖房運転を選択的に実行することができる。
【００４１】
このとき、前記エアコンユニット２００は、リモコン等の適宜の操作部６０（以下単に「リモコン６０」と称する）によって操作可能である。すなわち、リモコン６０は、例えば前記エアコン制御部４３０に対し情報送受信可能に接続されており、ユーザは、このリモコン６０を適宜に手動操作することにより、前記の沸上運転、冷房運転、及び、暖房運転のいずれの運転を行うかを指示することができる。なお、沸上・冷房運転（又は沸上・暖房運転）については、ユーザによりリモコン６０を介し前記冷房運転（又は暖房運転）の指示があったとき、貯湯タンク２内における貯湯状況（未加熱水の量など）に応じて、適宜、自動的に沸上・冷房運転（又は沸上・暖房運転）に切り替えられるものである。さらに、このリモコン６０における適宜の操作により、前記沸上運転時における沸上モード（例えば強力沸上モード、通常沸上モード、等）や、前記冷房運転又は暖房運転時におけるエアコン運転モード（例えば強力モード、通常モード、節電モード等）やエアコン設定温度Ｔｃｏｎ等も指示することができる。これらのリモコン６０からの指示内容は、エアコンユニット２００に設けられた前記エアコン制御部４３０に入力され、さらに適宜、ヒートポンプユニット３００に設けられた前記ヒーポン制御部４１０や貯湯ユニット１００に設けられた前記貯湯制御部４２０へも入力される（エアコン制御部４３０を介し受信しても良いし、リモコン６０から直接受信してもよい）。
【００４２】
次に、前記ヒートポンプユニット３００に備えられた前記ヒーポン制御部４１０について説明する。ヒーポン制御部４１０は、詳細な図示を省略するが、各種のデータやプログラムを記憶する記憶部と、演算・制御処理を行う制御部とを備えている。このヒーポン制御部４１０の機能的構成を図３により説明する。
【００４３】
図３に示すように、前記ヒーポン制御部４１０は、四方弁制御部４１０Ａと、圧縮機制御部４１０Ｂと、膨張弁制御部４１０Ｃと、室外ファン制御部４１０Ｄとを機能的に備えている。
【００４４】
四方弁制御部４１０Ａには、前記リモコン６０により指示された、いずれの運転を行うかの運転指示（沸上運転、冷房運転、暖房運転）と、前記貯湯温度センサ１２により検出された前記貯湯温度とが入力される。四方弁制御部４１０Ａは、前記運転指示と、前記貯湯温度に対応した前記湯水の加熱状況（貯湯状況）とに応じて、実際にヒートポンプ給湯機１をどのような運転態様（沸上運転、冷房運転、沸上・冷房運転、暖房運転、沸上・暖房運転）で運転するかを決定し、対応する運転情報を、前記圧縮機制御部４１０Ｂ、膨張弁制御部４１０Ｃ、室外ファン制御部４１０Ｄ、及び、貯湯制御部４２０、エアコン制御部４３０に出力する。また四方弁制御部４１０Ａは、上記決定された運転態様に対応する開閉信号を四方弁３１へ出力し、四方弁３１を切り替える（詳細な制御内容は後述）。
【００４５】
圧縮機制御部４１０Ｂには、前記外気温度センサ２２により検出された前記外気温度Ｔａｉｒと、前記室内温度センサ３４により検出された前記室内温度Ｔｒと、前記リモコン６０により設定された前記エアコン設定温度Ｔｃｏｎ及び前記沸上モードとが入力される（直接入力される場合のほか、前記の間接的な入力も含む。以下同様）。圧縮機制御部４１０Ｂは、前記のようにして四方弁制御部４１０Ａから入力される（沸上運転、冷房運転、沸上・冷房運転、暖房運転、及び沸上・暖房運転のいずれの運転が行われるかを表す）前記運転情報に応じて、入力された前記の温度及び設定のうち少なくとも１つに基づき、前記圧縮機１４の回転数を制御する（詳細な制御内容は後述）。なおこのときの圧縮機１４の回転数（制御値）は、後述の貯湯制御部４２０の膨張弁制御部４２０Ｂにも出力される（図示省略）。
【００４６】
膨張弁制御部４１０Ｃには、前記吐出温度センサ２０により検出された前記冷媒吐出温度Ｔｏｕｔと、前記流出温度センサ２１により検出された前記冷媒流出温度Ｔ２と、前記吸入温度センサ３２により検出された前記冷媒吸入温度Ｔｉｎと、前記熱交温度センサ３５により検出された前記ヒーポン熱交温度Ｔｅｘとが入力される。膨張弁制御部４１０Ｃは、前記四方弁制御部４１０Ａからの前記運転情報に応じて、前記の入力された温度のうち少なくとも１つに基づき、前記膨張弁１１３の開度を制御する（詳細な制御内容は後述）。
【００４７】
室外ファン制御部４１０Ｄには、前記外気温度センサ２２により検出された前記外気温度Ｔａｉｒと、前記リモコン６０により設定された前記エアコン運転モードと、後述のエアコン制御部４３０の室内ファン制御部４３０Ａから出力された前記室内ファン７７の目標回転数Ｎ１（詳細は後述）が入力される。室外ファン制御部４１０Ｄは、前記四方弁制御部４１０Ａからの前記運転情報に対応しつつ、前記外気温度Ｔａｉｒ、前記運転モード、及び前記室内ファン７７の目標回転数Ｎ１に応じて、前記室外ファン６７に対し、目標回転数Ｎ２（以下適宜、単に「室外ファン回転数Ｎ２」という。図示も同様）に対応した駆動制御信号を出力し、これによって室外ファン６７の回転数を可変に制御する（詳細な制御内容は後述）。
【００４８】
なお、前記運転態様の決定は、貯湯制御部４２０やエアコン制御部４３０で行っても良い。この場合は、それら貯湯制御部４２０やエアコン制御部４３０から、決定された運転態様に対応した前記運転情報がヒーポン制御部４１０に入力され、その入力された運転情報に応じて四方弁制御部４１０Ａ、圧縮機制御部４１０Ｂ、膨張弁制御部４１０Ｃ、室外ファン制御部４１０Ｄが各種制御を行う。
【００４９】
次に、前記貯湯ユニット１００に備えられた前記貯湯制御部４２０について説明する。貯湯制御部４２０は、前記ヒーポン制御部４１０同様、記憶部と制御部とを備えており、その機能的構成を図４により説明する。
【００５０】
図４に示すように、前記貯湯制御部４２０は、ポンプ制御部４２０Ａと、膨張弁制御部４２０Ｂと、二方弁制御部４２０Ｃとを機能的に備えている。
【００５１】
ポンプ制御部４２０Ａには、前記ヒーポン制御部４１０からの前記運転情報と、前記沸上温度センサ２４により検出された前記沸上温度Ｔｂとが入力される。ポンプ制御部４２０Ａは、前記のようにしてヒーポン制御部４１０から入力される（沸上運転、冷房運転、沸上・冷房運転、暖房運転、及び沸上・暖房運転のいずれの運転が行われるかを表す）前記運転情報に応じて、入力された前記沸上温度Ｔｂに基づき、前記沸上ポンプ１９の回転数を制御する（詳細な制御内容は後述）。
【００５２】
膨張弁制御部４２０Ｂには、前記ヒーポン制御部４１０からの前記運転情報と、前記外気温度センサ２２により検出された前記外気温度Ｔａｉｒと、前記リモコン６０により設定された前記エアコン運転モードと、前記ヒーポン制御部４１０の前記圧縮機制御部４１０Ｂから入力された前記圧縮機１４の回転数（制御値。但し公知の手法で検出された実際の圧縮機１４の回転数を入力しても良い）と、前記流出温度センサ２１により検出された前記冷媒流出温度Ｔ２と、前記吸入温度センサ３２により検出された前記冷媒吸入温度Ｔｉｎと、前記吐出温度センサ２０により検出された前記冷媒吐出温度Ｔｏｕｔとが入力される。膨張弁制御部４２０Ｂは、前記ヒーポン制御部４１０からの前記運転情報に応じて、前記の入力された温度やモード設定や回転数のうち少なくとも１つに基づき、前記膨張弁１１１，１１２の開度を制御する（詳細な制御内容は後述）。
【００５３】
二方弁制御部４２０Ｃには、前記ヒーポン制御部４１０からの前記運転情報が入力される。二方弁制御部４２０Ｃは、前記運転情報に基づき、前記二方弁１２１，１２２，１２３，１２４の開閉動作を制御する（詳細な制御内容は後述）。
【００５４】
なお、前記と同様、運転態様の決定を、貯湯制御部４２０内（例えば前記二方弁制御部４２０Ｃ）やエアコン制御部４３０で行っても良い。この場合は、それら二方弁制御部４２０Ｃやエアコン制御部４３０で決定した運転態様に対応する運転情報に応じて、ポンプ制御部４２０Ａ、膨張弁制御部４２０Ｂ、二方弁制御部４２０Ｃが各種制御を行う。
【００５５】
次に、前記エアコンユニット２００に備えられた前記エアコン制御部４３０について説明する。エアコン制御部４３０は、前記ヒーポン制御部４１０及び貯湯制御部４２０同様、記憶部と制御部とを備えており、その機能的構成を図５により説明する。
【００５６】
図５に示すように、前記エアコン制御部４３０は、室内ファン制御部４３０Ａを機能的に備えている。
【００５７】
室内ファン制御部４３０Ａには、前記ヒーポン制御部４１０からの前記運転情報と、前記室内温度センサ３４により検出された前記室内温度Ｔｒと、前記リモコン６０により設定された前記エアコン設定温度Ｔｃｏｎとが入力される。室内ファン制御部４３０Ａは、前記ヒーポン制御部４１０からの前記運転情報に対応しつつ、前記室内温度Ｔｒ及びエアコン設定温度Ｔｃｏｎに応じて、前記室内ファン７７に対し、前記目標回転数Ｎ１（以下適宜、単に「室内ファン回転数Ｎ１」という。図示も同様）に対応した駆動制御信号を出力し、これによって室内ファン７７の回転数を可変に制御する（詳細な制御内容は後述）。なおこの室内ファン回転数Ｎ１は、前記したように、前記ヒーポン制御部４１０の前記室外ファン制御部４１０Ｄへも出力される。
【００５８】
なお、前記と同様、運転態様の決定を、エアコン制御部４３０内や貯湯制御部４２０で行っても良い。この場合は、それらエアコン制御部４３０や貯湯制御部４２０で決定した運転態様に対応する運転情報に応じて、室内ファン制御部４３０Ａが前記制御を行う。
【００５９】
前記したように、本実施形態のヒートポンプ給湯機１は、沸上運転、冷房運転、暖房運転、沸上・冷房運転、沸上・暖房運転の５種類の運転を選択的に実行することができる。以下、各運転の詳細を順次説明する。
【００６０】
まず、図６を用いて、沸上運転について説明する。この図６に示す沸上運転時においては、前記四方弁制御部４１０Ａにより、前記四方弁３１は、前記配管部１８ａを前記配管部１８ｂに連通させると共に前記配管部１８ｃを前記配管部１８ｄに連通させる位置（前記した暖房側）に切り替えられる。また前記二方弁制御部４２０Ｃにより、二方弁１２１が開き状態、二方弁１２２が閉じ状態、二方弁１２３が開き状態、二方弁１２４が閉じ状態に切り替えられる。さらに前記膨張弁制御部４２０Ｂにより前記膨張弁１１１が全開状態かつ前記膨張弁１１２が全閉状態に制御され、前記膨張弁制御部４１０Ｃにより前記膨張弁１１３が開き状態（詳細には後述の△Ｈ制御が行われている）に制御される。
【００６１】
この結果、圧縮機１４の吐出側の配管部１８ａ→配管部１８ｂ→連通管路１０１→配管部２５ａ→配管部２５ｂ→水冷媒熱交換器１５の冷媒側の流路１５ｂ→配管部２５ｃ（膨張弁１１１）→配管部２５ｅ→連通管路１０２→配管部１８ｅ（膨張弁１１３）→室外熱交換器１７→配管部１８ｄ→圧縮機１４の吸入側の配管部１８ｃの冷媒経路が形成される。これにより、低温・低圧で吸入されたガス状態の冷媒が前記圧縮機１４で圧縮されて高温・高圧のガスとなった後、凝縮器として機能する水冷媒熱交換器１５の前記冷媒側の流路１５ｂにおいて前記水側の流路１５ａを流れる水と熱交換を行って前記水に熱を放出し加熱しながら高圧の液体に変化する。こうして液体となった冷媒は全開状態の前記膨張弁１１１を経て前記膨張弁１１３において減圧されて低温・低圧の液体となって蒸発しやすい状態となり、蒸発器として機能する前記室外熱交換器１７において外気と熱交換を行って蒸発してガスに変化することで吸熱し、低温・低圧のガスとして再び圧縮機１４へと戻る。このとき、貯湯タンク２下部に接続された前記加熱往き管５から取り出された低温水（未加熱水）が、水冷媒熱交換器１５の前記水側の流路１５ａにおいて前記凝縮する冷媒から受熱して高温まで加熱された後、貯湯タンク２上部に接続された加熱戻り管６から貯湯タンク２内に戻されることで、貯湯タンク２内に順次高温水（加熱水）が積層状に貯湯される。
【００６２】
以上の作動において、前記圧縮機１４の回転数は、前記圧縮機制御部４１０Ｂの制御により、外気温度Ｔａｉｒに基づき決定される。すなわち、外気温度Ｔａｉｒが低い場合は圧縮機回転数が大きくなるように制御され、外気温度Ｔａｉｒが高い場合は圧縮機回転数が小さくなるように制御される。また前記室外ファン６７における前記室外ファン回転数Ｎ２は、前記室外ファン制御部４１０Ｄの制御により、外気温度Ｔａｉｒに基づき決定される。すなわち、外気温度Ｔａｉｒが低い場合はファン回転数が大きくなるように制御され、外気温度Ｔａｉｒが高い場合はファン回転数が小さくなるように制御される。
【００６３】
また沸上ポンプ１９の回転数は、前記ポンプ制御部４２０Ａの制御により、前記沸上温度Ｔｂが所定の目標温度となるように、フィードバック制御される。すなわち、沸上温度Ｔｂが目標温度より低い場合はポンプ回転数が小さくなる（流量が低下する）ように制御され、沸上温度Ｔｂが目標温度より高い場合はポンプ回転数が大きくなる（流量が増大する）ように制御される。なお、室内ファン７７は、前記室内ファン制御部４３０Ａの制御により回転停止される。
【００６４】
そして、前記膨張弁１１３の開度は、前記膨張弁制御部４１０Ｃにより、沸上運転の運転状態に応じて可変に制御される。詳細には、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、膨張弁１１３の開度を所定の周期でフィードバック制御する（△Ｈ制御）。すなわち、前記膨張弁制御部４１０Ｃは、△Ｈ＜△Ｈｍの場合は膨張弁１１３の開度を閉じる方向に制御し、△Ｈ＞△Ｈｍの場合は、膨張弁１１３の開度を開く方向に制御し、△Ｈ＝△Ｈｍの場合は、膨張弁１１３の開度を現状のまま維持する。あるいは、この△Ｈ制御に代え、前記冷媒吐出温度Ｔｏｕｔが所定の一定値となるように、膨張弁１１３の開度をフィードバック制御してもよい（吐出制御）。この場合、前記膨張弁制御部４１０Ｃは、冷媒吐出温度Ｔｏｕｔが低すぎる場合は膨張弁１１３の開度を閉じる方向に制御し、冷媒吐出温度Ｔｏｕｔが高すぎる場合は膨張弁１１３の開度を開く方向に制御する。
【００６５】
次に、図７を用いて、暖房運転について説明する。この図７に示す暖房運転時においては、前記四方弁制御部４１０Ａにより、前記沸上運転と同様、前記四方弁３１は、前記暖房側に切り替えられる。また前記二方弁制御部４２０Ｃにより、二方弁１２１が閉じ状態、二方弁１２２が開き状態、二方弁１２３が開き状態、二方弁１２４が閉じ状態に切り替えられる。さらに前記膨張弁制御部４２０Ｂにより前記膨張弁１１１が全閉状態かつ前記膨張弁１１２が全開状態に制御され、前記膨張弁制御部４１０Ｃにより前記膨張弁１１３が開き状態（詳細には後述のＳＨ制御が行われている）に制御される。
【００６６】
この結果、圧縮機１４の吐出側の配管部１８ａ→配管部１８ｂ→連通管路１０１→配管部２５ａ→配管部２５ｄ→連通管路１０４→配管部２６ａ→室内熱交換器２７→配管部２６ｂ→連通管路１０３→配管部２５ｇ（膨張弁１１２）→配管部２５ｅ→連通管路１０２→配管部１８ｅ（膨張弁１１３）→室外熱交換器１７→配管部１８ｄ→圧縮機１４の吸入側の配管部１８ｃの冷媒経路が形成される。これにより、低温・低圧で吸入されたガス状態の冷媒が前記圧縮機１４で圧縮されて高温・高圧のガスとなった後、凝縮器として機能する室内熱交換器２７において室内空気と熱交換を行って熱を放出し空調対象空間を加熱しながら高圧の液体に変化する。こうして液体となった冷媒は全開状態の前記膨張弁１１２を経て前記膨張弁１１３において減圧されて低温・低圧の液体となって蒸発しやすい状態となり、蒸発器として機能する前記室外熱交換器１７において外気と熱交換を行って蒸発してガスに変化することで吸熱し、低温・低圧のガスとして再び圧縮機１４へと戻る。
【００６７】
以上の作動において、前記圧縮機１４の回転数は、前記圧縮機制御部４１０Ｂの制御により、室内温度Ｔｒとエアコン設定温度Ｔｃｏｎとの差に基づき決定される。すなわち、Ｔｃｏｎ−Ｔｒの値が大きい場合は圧縮機回転数が大きくなるように制御され、Ｔｃｏｎ−Ｔｒの値が小さい場合は圧縮機回転数が小さくなるように制御される。また前記室外ファン６７における前記室外ファン回転数Ｎ２は、前記室外ファン制御部４１０Ｄの制御により、外気温度Ｔａｉｒとエアコン運転モードに基づき決定される。すなわち、複数用意されたエアコン運転モード（例えば強力モード、通常モード、節電モード等）のそれぞれにおいて、外気温度Ｔａｉｒが低い場合はファン回転数が大きくなるように制御され、外気温度Ｔａｉｒが高い場合はファン回転数が小さくなるように制御される。
【００６８】
また前記室内ファン７７における前記室内ファン回転数Ｎ１は、前記室内ファン制御部４３０Ａの制御により、室内温度Ｔｒとエアコン設定温度Ｔｃｏｎとの差に基づき決定される。すなわち、Ｔｃｏｎ−Ｔｒの値が大きい場合はファン回転数が大きくなるように制御され、Ｔｃｏｎ−Ｔｒの値が小さい場合はファン回転数が小さくなるように制御される。なお、沸上ポンプ１９は、前記ポンプ制御部４２０Ａの制御により回転停止される。
【００６９】
そして、前記膨張弁１１３の開度は、前記膨張弁制御部４１０Ｃにより、暖房運転の運転状態に応じて可変に制御される。詳細には、前記冷媒吸入温度Ｔｉｎと前記ヒーポン熱交温度Ｔｅｘとの温度差Ｔｉｎ−Ｔｅｘが所定の一定値となるように、膨張弁１１３の開度をフィードバック制御する（ＳＨ制御）。すなわち、前記膨張弁制御部４１０Ｃは、Ｔｉｎ−Ｔｅｘが小さすぎる場合は膨張弁１１３の開度を閉じる方向に制御し、Ｔｉｎ−Ｔｅｘが大きすぎる場合は膨張弁１１３の開度を開く方向に制御する。
【００７０】
次に、図８を用いて、沸上・暖房運転について説明する。この図８に示す沸上・暖房運転時においても、前記四方弁制御部４１０Ａにより、前記四方弁３１は、前記暖房側に切り替えられる。また前記二方弁制御部４２０Ｃにより、二方弁１２１が開き状態、二方弁１２２が開き状態、二方弁１２３が開き状態、二方弁１２４が閉じ状態に切り替えられる。さらに前記膨張弁制御部４２０Ｂにより前記膨張弁１１１が全開状態かつ前記膨張弁１１２も全開状態に制御され、前記膨張弁制御部４１０Ｃにより前記膨張弁１１３が開き状態（詳細には後述の吐出制御が行われている）に制御される。
【００７１】
この結果、冷媒経路は、圧縮機１４の吐出側の配管部１８ａ→配管部１８ｂ→連通管路１０１→配管部２５ａを経て２つに分かれ、一方は、配管部２５ｂ→水冷媒熱交換器１５の冷媒側の流路１５ｂ→配管部２５ｃ（膨張弁１１１）を経て配管部２５ｅに至り、他方は、配管部２５ｄ→連通管路１０４→配管部２６ａ→室内熱交換器２７→配管部２６ｂ→連通管路１０３→配管部２５ｇ（膨張弁１１２）を経て前記配管部２５ｅへと合流する。その後の経路は、配管部２５ｅ→連通管路１０２→配管部１８ｅ（膨張弁１１３）→室外熱交換器１７→配管部１８ｄ→圧縮機１４の吸入側の配管部１８ｃとなる。
【００７２】
これにより、低温・低圧で吸入されたガス状態の冷媒が前記圧縮機１４で圧縮されて高温・高圧のガスとなった後に前記のように分流し、前記一方の流れは前記水冷媒熱交換器１５（凝縮器として機能）で前記同様に凝縮して前記水側の流路１５ａを流れる水を加熱することで貯湯タンク２内へ順次高温水（加熱水）を供給し、前記他方の流れは室内熱交換器２７（凝縮器として機能）において前記同様に凝縮して室内空気に熱を放出することで空調対象空間を加熱する。前記の熱交換器１５，２７での凝縮で高圧の液体に変化した冷媒は前記膨張弁１１３において減圧されて低温・低圧の液体となった後前記室外熱交換器１７（蒸発器として機能）において蒸発して外気から吸熱し、低温・低圧のガスとして再び圧縮機１４へと戻る。
【００７３】
以上の作動において、前記圧縮機１４の回転数は、前記圧縮機制御部４１０Ｂの制御により、前記暖房運転時と同様の、室内温度Ｔｒとエアコン設定温度Ｔｃｏｎとの差に基づく決定と、前記沸上運転時と同様の、外気温度Ｔａｉｒに基づく決定とが加味される（詳細は省略）。また前記室外ファン回転数Ｎ２は、前記室外ファン制御部４１０Ｄの制御により、前記暖房運転時と同様、外気温度Ｔａｉｒとエアコン運転モードに基づき、各エアコン運転モードにおいて、外気温度Ｔａｉｒが低い場合はファン回転数が大きくなるように、外気温度Ｔａｉｒが高い場合はファン回転数が小さくなるように制御される。
【００７４】
また沸上ポンプ１９の回転数は、前記ポンプ制御部４２０Ａの制御により、前記沸上運転と同様、前記沸上温度Ｔｂが目標温度より低い場合はポンプ回転数が小さくなり、沸上温度Ｔｂが目標温度より高い場合はポンプ回転数が大きくなるように制御される。また前記室内ファン回転数Ｎ１は、前記室内ファン制御部４３０Ａの制御により、前記暖房運転時と同様、室内温度Ｔｒとエアコン設定温度Ｔｃｏｎとの差に基づき、Ｔｃｏｎ−Ｔｒの値が大きい場合はファン回転数が大きくなるように、Ｔｃｏｎ−Ｔｒの値が小さい場合はファン回転数が小さくなるように制御される。
【００７５】
そして、前記膨張弁１１３の開度は、前記膨張弁制御部４１０Ｃにより、沸上・暖房運転の運転状態に応じて可変に制御される。詳細には、前記冷媒吐出温度Ｔｏｕｔが所定の一定値となるように膨張弁１１３の開度がフィードバック制御（吐出制御）され、冷媒吐出温度Ｔｏｕｔが低すぎる場合は膨張弁１１３の開度を閉じる方向に、冷媒吐出温度Ｔｏｕｔが高すぎる場合は膨張弁１１３の開度を開く方向に制御する。
【００７６】
次に、図９を用いて、冷房運転について説明する。この図９に示す冷房運転時においては、前記四方弁制御部４１０Ａにより、前記四方弁３１は、前記配管部１８ａを前記配管部１８ｄに連通させると共に前記配管部１８ｃを前記配管部１８ｂに連通させる位置（前記暖房側とは異なる冷房側）に切り替えられる。また前記二方弁制御部４２０Ｃにより、前記暖房運転時と同様、二方弁１２１が閉じ状態、二方弁１２２が開き状態、二方弁１２３が開き状態、二方弁１２４が閉じ状態に切り替えられる。さらに前記膨張弁制御部４２０Ｂにより前記膨張弁１１１が全閉状態に制御されかつ前記膨張弁１１２が開き状態（詳細には後述のフィードフォワード制御が行われている）に制御され、前記膨張弁制御部４１０Ｃにより前記膨張弁１１３が全開状態に制御される。
【００７７】
この結果、圧縮機１４の吐出側の配管部１８ａ→配管部１８ｄ→室外熱交換器１７→配管部１８ｅ（膨張弁１１３）→連通管路１０２→配管部２５ｅ→配管部２５ｇ（膨張弁１１２）→連通管路１０３→配管部２６ｂ→室内熱交換器２７→配管部２６ａ→連通管路１０４→配管部２５ｄ→配管部２５ａ→連通管路１０１→配管部１８ｂ→圧縮機１４の吸入側の配管部１８ｃの冷媒経路が形成される。これにより、低温・低圧で吸入されたガス状態の冷媒が前記圧縮機１４で圧縮されて高温・高圧のガスとなった後、室外ファン６７の回転駆動とともに凝縮器として機能する前記室外熱交換器１７において外気と熱交換を行って熱を放出しながら高圧の液体に変化する。こうして液体となった冷媒は全開状態の前記膨張弁１１３を経て前記膨張弁１１２において減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、低温・低圧のガスとして再び圧縮機１４へと戻る。
【００７８】
以上の作動において、前記暖房運転時と同様、前記圧縮機１４の回転数は、前記圧縮機制御部４１０Ｂの制御により、前記Ｔｃｏｎ−Ｔｒの値が大きい場合は圧縮機回転数が大きくなるように、前記Ｔｃｏｎ−Ｔｒの値が小さい場合は圧縮機回転数が小さくなるように制御される。また前記室外ファン６７における前記室外ファン回転数Ｎ２は、前記室外ファン制御部４１０Ｄの制御により、エアコン運転モードが例えば強力モードの場合はファン回転数が大きくなるように制御され、通常モードや節電モードの場合はファン回転数が小さくなるように制御される。さらに各エアコン運転モードにおいて、外気温度Ｔａｉｒが低い場合はファン回転数が小さくなるように、外気温度Ｔａｉｒが高い場合はファン回転数が大きくなるように制御される。また前記室内ファン７７における前記室内ファン回転数Ｎ１は、前記室内ファン制御部４３０Ａの制御により、前記Ｔｃｏｎ−Ｔｒの値が大きい場合はファン回転数が大きくなるように、前記Ｔｃｏｎ−Ｔｒの値が小さい場合はファン回転数が小さくなるように制御される。沸上ポンプ１９は、前記ポンプ制御部４２０Ａの制御により回転停止される。
【００７９】
そして、前記膨張弁１１２の開度は、前記膨張弁制御部４２０Ｂにより、冷房運転の運転状態に応じて可変に制御される。すなわち、前記外気温度Ｔａｉｒ及び前記エアコン運転モードと、圧縮機１４の回転数とに基づき決定される。すなわち、前記膨張弁制御部４２０Ｂは、前記複数のエアコン運転モード（例えば強力モード、通常モード、節電モード等）のそれぞれにおいて、前記外気温度Ｔａｉｒの高低と、前記圧縮機制御部４１０Ｂからの圧縮機回転数の高低とを加味して、膨張弁１１２の開度をフィードフォワード制御する（詳細は省略）。
【００８０】
次に、図１０を用いて、沸上・冷房運転について説明する。この図１０に示す沸上・冷房運転時においては、前記四方弁制御部４１０Ａにより、前記四方弁３１は、（前記冷房側ではなく）前記暖房側に切り替えられる。また前記二方弁制御部４２０Ｃにより、二方弁１２１が開き状態、二方弁１２２が閉じ状態、二方弁１２３が閉じ状態、二方弁１２４が開き状態に切り替えられる。さらに前記膨張弁制御部４２０Ｂにより前記膨張弁１１１が全開状態に制御されるとともに前記膨張弁１１２が開き状態（詳細には後述の△Ｈ制御が行われている）に制御され、前記膨張弁制御部４１０Ｃにより前記膨張弁１１３が全開状態に制御される。
【００８１】
この結果、冷媒経路は、圧縮機１４の吐出側の配管部１８ａ→配管部１８ｂ→連通管路１０１→配管部２５ａ→配管部２５ｂ→水冷媒熱交換器１５の冷媒側の流路１５ｂ→配管部２５ｃ（膨張弁１１１）→配管部２５ｇ（膨張弁１１２）→連通管路１０３→配管部２６ｂ→室内熱交換器２７→配管部２６ａ→連通管路１０４→配管部２５ｄ→配管部２５ｆ→配管部２５ｅ→連通管路１０２→配管部１８ｅ（膨張弁１１３）→室外熱交換器１７→配管部１８ｄ→圧縮機１４の吸入側の配管部１８ｃとなる。
【００８２】
これにより、低温・低圧で吸入されたガス状態の冷媒が前記圧縮機１４で圧縮されて高温・高圧のガスとなった後、まず前記水冷媒熱交換器１５（凝縮器として機能）で前記同様に凝縮して前記水側の流路１５ａを流れる水を加熱することで貯湯タンク２内へ順次高温水（加熱水）を供給し、液体となった冷媒は全開状態の前記膨張弁１１１を経て前記膨張弁１１２において減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、さらに前記膨張弁１１３を経て、室外ファン６７の回転駆動とともに蒸発器として機能する前記室外熱交換器１７において外気と熱交換を行って蒸発してガスに変化することで吸熱し、低温・低圧のガスとして再び圧縮機１４へと戻る。
【００８３】
なお、以上の説明にて前記したように、前記配管部１８ａ、前記配管部２５ａ、前記配管部２５ｂが、圧縮機１４の吐出側と水冷媒熱交換器１５の入口側との間を接続する第１配管として機能する。また前記配管部２５ｃ、前記配管部２５ｇ、前記配管部２６ｂが、水冷媒熱交換器１５の出口側と室内熱交換器２７の入口側との間を接続する第２配管として機能する。また、前記配管部２６ａ、前記配管部２５ｄ（二方弁１２２のある区間を除く）、前記配管部２５ｆ、前記配管部２５ｅ（二方弁１２３のある区間を除く）、前記配管部１８ｅが、室内熱交換器２７の出口側と室外熱交換器１７の入口側との間を接続する第３配管として機能する。また、前記配管部１８ｄ、前記配管部１８ｃが、室外熱交換器１７の出口側と圧縮機１４の吸入側との間を接続する第４配管として機能する。
【００８４】
以上の作動において、前記圧縮機１４の回転数は、前記圧縮機制御部４１０Ｂの制御により、前記冷房運転時と同様の、室内温度Ｔｒとエアコン設定温度Ｔｃｏｎとの差に基づき決定される。
【００８５】
また沸上ポンプ１９の回転数は、前記ポンプ制御部４２０Ａの制御により、前記沸上運転や沸上・暖房運転と同様、前記沸上温度Ｔｂが目標温度より低い場合はポンプ回転数が小さくなり、沸上温度Ｔｂが目標温度より高い場合はポンプ回転数が大きくなるように制御される。また前記室内ファン７７における前記室内ファン回転数Ｎ１は、前記室内ファン制御部４３０Ａの制御により、前記冷房運転等のときと同様、室内温度Ｔｒとエアコン設定温度Ｔｃｏｎとの差に基づき、Ｔｃｏｎ−Ｔｒの値が大きい場合はファン回転数が大きくなるように、Ｔｃｏｎ−Ｔｒの値が小さい場合はファン回転数が小さくなるように制御される。
【００８６】
そして、前記膨張弁１１２の開度は、前記膨張弁制御部４２０Ｂにより、沸上・冷房運転の運転状態に応じて可変に制御される。詳細には、前記沸上運転時の膨張弁制御部４１０Ｃによる膨張弁１１３への制御と同様、前記冷媒吐出温度Ｔｏｕｔと前記冷媒流出温度Ｔ２との温度差△Ｈ＝Ｔｏｕｔ−Ｔ２が、所定の目標温度差△Ｈｍとなるように、膨張弁１１２の開度を所定の周期でフィードバック制御する（△Ｈ制御）。すなわち、前記膨張弁制御部４２０Ｂは、△Ｈ＜△Ｈｍの場合は膨張弁１１２の開度を閉じる方向に制御し、△Ｈ＞△Ｈｍの場合は、膨張弁１１２の開度を開く方向に制御し、△Ｈ＝△Ｈｍの場合は、膨張弁１１２の開度を現状のまま維持する。あるいは、この△Ｈ制御に代え、前記冷媒吐出温度Ｔｏｕｔが所定の一定値となるように、膨張弁１１２の開度をフィードバック制御してもよい（吐出制御）。この場合、前記膨張弁制御部４２０Ｂは、冷媒吐出温度Ｔｏｕｔが低すぎる場合は膨張弁１１２の開度を閉じる方向に制御し、冷媒吐出温度Ｔｏｕｔが高すぎる場合は膨張弁１１２の開度を開く方向に制御する。なお、前記室外ファン制御部４１０Ｄの制御による前記室外ファン６７における前記室外ファン回転数Ｎ２の制御については、後述する。
【００８７】
ところで、前記沸上・冷房運転においては、図１０を用いて前記したような冷媒の流れ挙動により、前記室内熱交換器２７（蒸発器として機能）での吸熱と、前記室外熱交換器１７（蒸発器として機能）での吸熱と、を合計したものが、前記水冷媒熱交換器１５（凝縮器として機能）での貯湯タンク２内への湯水の加熱に用いられる。
【００８８】
ここで、本実施形態では、通常の手法と同様、前記エアコン制御部４３０の室内ファン制御部４３０Ａでは、室内温度Ｔｒ−エアコン設定温度Ｔｃｏｎの値が大きい場合は前記室内ファン回転数Ｎ１が大きくなるように、室内温度Ｔｒ−エアコン設定温度Ｔｃｏｎの値が小さい場合は前記室内ファン回転数Ｎ１が小さくなるように制御される。したがって、冷房負荷を表す前記Ｔｒ−Ｔｃｏｎが大きい運転開始直後は前記室内ファン回転数Ｎ１が大きく前記室内熱交換器２７における吸熱量が多くなるものの、その後時間が経過するにつれて前記Ｔｒ−Ｔｃｏｎが小さくなり前記室内ファン回転数Ｎ１が小さくなることから、前記室内熱交換器２７での吸熱量が小さくなってしまう。
【００８９】
そこで、これに対応して、本実施形態では、前記室外ファン６７における室外ファン回転数Ｎ２を制御する前記室外ファン制御部４１０Ｄに対し、前記室内ファン制御部４３０Ａから前記室内ファン回転数Ｎ１が出力される（室内ファン制御部４３０Ａの回転検出手段、負荷検出手段としての機能）。そして室外ファン制御部４１０Ｄは、前記吸熱量の減少に対応した前記室内ファン回転数Ｎ１の低下を検知すると、これに対応して、室外ファン６７における前記室外ファン回転数Ｎ２を増大させることで、室外熱交換器１７における吸熱量を増大させる（室外ファン制御部４１０Ｄの回転制御手段、吸熱制御手段としての機能）。以下、この室外ファン制御部４１０Ｄによる制御内容の詳細について、図１１を用いて説明する。
【００９０】
図１１（ａ）に右下がりの特性線で示すように、前記室外ファン６７における室外ファン回転数Ｎ２は、前記室外ファン制御部４１０Ｄにより、外気温度Ｔａｉｒが低い場合は大きくなるように制御され、外気温度Ｔａｉｒが高い場合は小さくなるように制御される。なお、前記冷房運転時と同様、この右下がり特性線で表される制御内容は、各エアコン運転モードにごとにそれぞれ別個に用意されており、図１１（ａ）はその中のある１つの運転モードにおけるものを一例として表している。
【００９１】
そして、前記したように、前記室外ファン制御部４１０Ｄは、室内ファン６６における前記室内ファン回転数Ｎ１の低下に応じて、室外ファン６７における前記室外ファン回転数Ｎ２を増大させる。この例では、図示のように３つ用意された特性線において、前記室内ファン回転数Ｎ１が低下するにつれて、より大回転数側の特性線となるように、使用する特性線を段階的に切り替える。具体的には、図１１（ｂ）に示すように、前記室内ファン回転数Ｎ１の範囲を、Ｎ１＜２００［ｒｐｍ］、２００≦Ｎ１＜３００［ｒｐｍ］、３００≦Ｎ１［ｒｐｍ］の３つに区分する。
【００９２】
そして、前記室内ファン回転数Ｎ１が３つの区分のうち最も大きい３００≦Ｎ１［ｒｐｍ］の範囲である場合には、室外ファン制御部４１０Ｄは、前記室外ファン回転数Ｎ２を（制御基準としての）図１１（ａ）中の最下段の実線で示す特性となるように制御する。また、前記室内ファン回転数Ｎ１が３つの区分のうち真ん中の２００≦Ｎ１＜３００［ｒｐｍ］の範囲である場合には、室外ファン制御部４１０Ｄは、前記室外ファン回転数Ｎ２を、図１１（ａ）中の最下段の実線で示した特性に対し補正値１００［ｒｐｍ］（図１１（ｂ）参照）を加えた特性、すなわち前記実線より１段上となる図１１（ａ）中の中段の二点鎖線で示す特性となるように制御する。さらに、前記室内ファン回転数Ｎ１が３つの区分のうちもっとも小さいＮ１＜２００［ｒｐｍ］の範囲である場合には、室外ファン制御部４１０Ｄは、前記室外ファン回転数Ｎ２を、図１１（ａ）中の最下段の実線で示した特性に対し補正値２００［ｒｐｍ］（図１１（ｂ）参照）を加えた特性、すなわち前記二点鎖線よりさらに１段上となる図１１（ａ）中の上段の破線で示す特性となるように制御する。
【００９３】
このような制御が前記室外ファン制御部４１０Ｄで行われることにより、前記のような運転開始後の時間経過により前記室内ファン回転数Ｎ１が小さくなり前記室内熱交換器２７での吸熱量が小さくなってしまったとしても、これに応じて前記のように前記室外ファン回転数Ｎ２が大回転数側に補正されることで、前記室外熱交換器１７における吸熱量を増大させることができる。
【００９４】
以上説明したように、本実施形態のヒートポンプ給湯機１によれば、運転開始後に冷房負荷が減少したら、これに対応して前記室外熱交換器１７における吸熱量を増大させる。これにより、前記のようにして室内熱交換器２７で吸熱量が小さくなった分を補うことができるので、室内熱交換器２７での吸熱量と室外熱交換器１７での吸熱量との合計が、小さくならないように維持することができる。この結果、前記水冷媒熱交換器１５における放熱量を低下させることなく維持できるので、貯湯タンク２への湯水の加熱能力を確実に確保することができる。
【００９５】
また、本実施形態では特に、図１０に示す沸上・冷房運転時において、圧縮機１４の吐出側→配管部１８ｂ，２５ａ，２５ｂ→水冷媒熱交換器１５→配管部２５ｃ，２５ｇ，２６ｂ→室内熱交換器２７→配管部２６ａ，２５ｄ，２５ｆ，２５ｅ，１８ｅ→室外熱交換器１７→配管部１８ｄ，１８ｃ→圧縮機１４の吸入側という冷媒経路が形成される。そして、配管部２５ｇに、弁開度が運転状態に応じて可変に制御される膨張弁１１２が設けられ。この場合、前記の冷媒経路において、水冷媒熱交換器１５で熱交換後の冷媒を膨張弁１１２において確実に低温低圧状態に膨張させ、室内熱交換器２７に供給することができる。これにより、貯湯タンク２への水の加熱（排熱）を利用した高効率な運転を行うことができる。
【００９６】
なお、本発明は上記実施形態に限定されるものではなく、発明の要旨を変更しない範囲で種々の変更が可能である。
【００９７】
例えば、上記実施形態では、室内温度Ｔｒ−エアコン設定温度Ｔｃｏｎ（＝温度差△Ｔ。以下適宜，単に「温度差△Ｔ」という）の値に応じて制御される前記室内ファン回転数Ｎ１が、室内ファン制御部４３０Ａから前記室外ファン制御部４１０Ｄへ出力され、前記室外ファン制御部４１０Ｄは室内ファン回転数Ｎ１の低下によって冷房負荷が小さくなったことを検知し、前記室外ファン回転数Ｎ２を増大させた。これに代えて、前記室内温度Ｔｒ及び前記エアコン設定温度Ｔｃｏｎが直接前記室外ファン制御部４１０Ｄへ入力され、前記室外ファン制御部４１０Ｄがそれらに基づく前記温度差△Ｔの低下によって冷房負荷が小さくなったことを検知し、前記室外ファン回転数Ｎ２を増大させるようにしてもよい。
【００９８】
そのような変形例における沸上・冷房運転時の作動を図１２に示し、またヒーポン制御部及びエアコン制御部の機能的構成を、図３及び図５にそれぞれ対応する図１３及び図１４に示す。図１４に示すように、この変形例では、前記室内ファン制御部４３０Ａからの前記室内ファン回転数Ｎ１（駆動制御信号）は室内ファン７７に対し出力され、上記実施形態のように前記室外ファン制御部４１０Ｄには出力されない。そして図１３に示すように、室外ファン制御部４１０Ｄには、前記外気温度Ｔａｉｒ及び前記エアコン運転モードに加え、前記室内温度センサ３４により検出された前記室内温度Ｔｒと、前記リモコン６０により設定された前記エアコン設定温度Ｔｃｏｎとが入力される。
【００９９】
そして室外ファン制御部４１０Ｄは、入力される前記室内温度Ｔｒ及び前記エアコン設定温度Ｔｃｏｎに応じて、温度差△Ｔ（＝室内温度Ｔｒ−エアコン設定温度Ｔｃｏｎ）を算出する（算出手段、負荷検出手段としての機能）。なお、他の部位（例えば前記圧縮機制御部４１０Ｂ）でこの温度差△Ｔが算出され、その算出された温度差△が室外ファン制御部４１０Ｄに入力されて用いられる構成でもよい。室外ファン制御部４１０Ｄは、前記吸熱量の減少に対応した前記温度差△Ｔの低下を検知すると、これに対応して、室外ファン６７における前記室外ファン回転数Ｎ２を増大させることで、室外熱交換器１７における吸熱量を増大させる（室外ファン制御部４１０Ｄの回転制御手段、吸熱制御手段としての機能）。
【０１００】
本変形例における前記室外ファン制御部４１０Ｄの制御内容の詳細について、前記図１１に対応する図１５を用いて説明する。
【０１０１】
前記図１１同様、図１５（ａ）に右下がりの特性線で示すように、前記室外ファン６７における室外ファン回転数Ｎ２は、前記室外ファン制御部４１０Ｄにより、外気温度Ｔａｉｒが低い場合は大きくなるように制御され、外気温度Ｔａｉｒが高い場合は小さくなるように制御される。
【０１０２】
そして、前記したように、前記室外ファン制御部４１０Ｄは、前記温度差△Ｔ（＝Ｔｒ−Ｔｃｏｎ）の低下に応じて前記室外ファン回転数Ｎ２を増大させる。この例では、前記図１１と同様に３つ用意された特性線において、前記温度差△Ｔが低下するにつれて、より大回転数側の特性線となるように、使用する特性線を段階的に切り替える。すなわち、図１５（ｂ）に示すように、前記温度差△Ｔの範囲を、△Ｔ＜５［℃］、５≦△Ｔ＜１０［℃］、１０≦△Ｔ［℃］の３つに区分する。
【０１０３】
そして、前記温度差△Ｔが３つの区分のうち最も大きい１０≦△Ｔ［℃］の範囲である場合には、室外ファン制御部４１０Ｄは、前記室外ファン回転数Ｎ２を（制御基準としての）図１５（ａ）中の最下段の実線で示す特性となるように制御する。また、前記温度差△Ｔが３つの区分のうち真ん中の５≦△Ｔ＜１０［℃］の範囲である場合には、室外ファン制御部４１０Ｄは、前記室外ファン回転数Ｎ２を、図１５（ａ）中の最下段の実線で示した特性に対し補正値１００［ｒｐｍ］（図１５（ｂ）参照）を加えた特性、すなわち前記実線より１段上となる図１５（ａ）中の中段の二点鎖線で示す特性となるように制御する。さらに、前記温度差△Ｔが３つの区分のうちもっとも小さい△Ｔ＜５［℃］の範囲である場合には、室外ファン制御部４１０Ｄは、前記室外ファン回転数Ｎ２を、図１５（ａ）中の最下段の実線で示した特性に対し補正値２００［ｒｐｍ］（図１５（ｂ）参照）を加えた特性、すなわち前記二点鎖線よりさらに１段上となる図１５（ａ）中の上段の破線で示す特性となるように制御する。
【０１０４】
このような制御が前記室外ファン制御部４１０Ｄで行われることにより、前記のような運転開始後の時間経過により前記温度差△Ｔ（＝室内温度Ｔｒ−エアコン設定温度Ｔｃｏｎ）が小さくなり前記室内熱交換器２７での吸熱量が小さくなってしまったとしても、これに応じて前記のように前記室外ファン回転数Ｎ２が大回転数側に補正されることで、前記室外熱交換器１７における吸熱量を増大させることができる。この結果、上記実施形態と同様の効果を得ることができる。
【０１０５】
また例えば、上記実施形態では、冷媒負荷が小さくなったことが検知されたら、前記室外ファン回転数Ｎ２を増大させることで室外熱交換器１７における吸熱量を増大させた。これに代えて、例えば室外熱交換器１７において前記のような外気との熱交換を行うモジュールが複数セット設けられており、冷媒負荷が大きい場合はそのうちの１セットが用いられる一方、冷媒負荷が小さい場合はそのうちの複数セットが用いられるようにする（吸熱制御手段としての機能）ことで、前記吸熱量を増大させても良い。また例えば室外熱交換器１７において、前記熱交換に寄与する冷媒通路のルートが短距離ルートと長距離ルートとに切り替え可能となっており、冷媒負荷が大きい場合はそのうちの短距離ルートが用いられる一方、冷媒負荷が小さい場合はそのうちの長距離ルートが用いられるようにする（吸熱制御手段としての機能）ことで、前記吸熱量を増大させても良い。
【０１０６】
さらに、本発明は以上の態様に限定されることなく、例えば、前記二方弁１２１〜１２４のうち少なくとも１つを、閉止機能付きの膨張弁で置き換えても良い。また、前記膨張弁１１１〜１１３に代え、減圧器としてエジェクターを用いても良い。
【符号の説明】
【０１０７】
１                ヒートポンプ給湯機
２                貯湯タンク
４                加熱循環回路（湯水循環回路）
５                加熱往き管（湯水配管）
６                加熱戻り管（湯水配管）
１４              圧縮機
１５              水冷媒熱交換器
１５ａ            冷媒側の流路
１５ｂ            水側の流路
１７              室外熱交換器（ヒートポンプ熱交換器）
１８              冷媒配管
１８ａ            配管部（第１配管）
１８ｃ            配管部（第４配管）
１８ｄ            配管部（第４配管）
１８ｅ            配管部（第３配管）
２５ａ            配管部（第１配管）
２５ｂ            配管部（第１配管）
２５ｃ            配管部（第２配管）
２５ｄ            配管部（第３配管）
２５ｅ            配管部（第３配管）
２５ｆ            配管部（第３配管）
２５ｇ            配管部（第２配管）
２６ａ            配管部（第３配管）
２６ｂ            配管部（第２配管）
２７              室内熱交換器
３０              冷媒循環回路
３１              四方弁
３４              室内温度センサ（検出手段）
６７              室外ファン（送風ファン）
７７              室内ファン（冷却ファン）
１００            貯湯ユニット
１１２            膨張弁（減圧器）
１２１            二方弁
１２２            二方弁
１２３            二方弁
１２４            二方弁
２００            ヒートポンプユニット（室外機）
３００            エアコンユニット（室内機）
４１０            ヒーポン制御部
４２０            貯湯制御部
４３０            エアコン制御部
Ｎ１              室内ファン回転数
Ｎ２              室外ファン回転数
Ｔａｉｒ          外気温度
Ｔｃｏｎ          エアコン設定温度
Ｔｒ              室内温度
【図１】
2018063091.tif 000003
【図２】
2018063091.tif 000004
【図３】
2018063091.tif 000005
【図４】
2018063091.tif 000006
【図５】
2018063091.tif 000007
【図６】
2018063091.tif 000008
【図７】
2018063091.tif 000009
【図８】
2018063091.tif 000010
【図９】
2018063091.tif 000011
【図１０】
2018063091.tif 000012
【図１１】
2018063091.tif 000013
【図１２】
2018063091.tif 000014
【図１３】
2018063091.tif 000015
【図１４】
2018063091.tif 000016
【図１５】
2018063091.tif 000017